(57)【要約】  特にフィンを備えるタイプの換気口を有する車室において、磁性支持部材が設けられた固定装置を有する、携帯用電子機器を連結する装置は、軸方向に反対の極性で磁化され同一平面で接近する少なくとも２個の相互に引き付ける永久磁石からなる、結合板の結合面を収める引力座部を有する磁性ベースを備える。ここで固定装置に取り付けられる磁性ベースは、球形キャップ凹形状を有する引力座部を備える。更に、固定装置は、第１の端部において相互にジョイント接合した２個の可動顎部を含むクランプを有し、第１の端部の基部は、ねじが通る同軸上を調節用ロックナットに押し付けられるカム型面を有し、引力座部を備える磁性ベースは、ロックナットに結合される。
2011523829.tif 000002
【特許請求の範囲】
【請求項１】
磁性支持部材を備えた固定装置を有する携帯用電子機器（Ａ）用の連結装置であって、
前記磁性支持部材は、前記携帯用電子機器（Ａ）を支持するために、車室の内側面に固定可能であり少なくとも２個の隣接し合う磁石（２００）からなる磁性ベース（２０）と、支持されるべき前記携帯用電子機器（Ａ）の背部に固定可能な又は一体化された強磁性材料を含む結合板（５０）と、を備え、
前記磁性ベース（２０）は、前記結合板（５０）の反対形状結合面（５２）を受容する引力座部（２０１）を備え、軸方向に反対の極性で磁化され同一平面で接近する少なくとも２個の相互に引き付ける永久磁石（２００）からなり、
前記磁性ベース（２０）に対する前記結合板（５０）は、強磁性材料からなる前記結合面（５２）の少なくとも１つの突出部を備え、
固定装置（１０ａ、１０ｂ）は、２個の可動顎部（１００、１０１）を有し、当該可動顎部（１００、１０１）は、第１の端部（１０２、１０３）において相互に関節接合され、前記第１の端部（１０２、１０３）の基部に関連してカム形状面を備え、ねじ（１７０）が通る同軸上を調節用ロックナット（１６０）に押し付けられ、そして、前記引力座部（２０１）を備える前記磁性ベース（２０）は、前記調節用ロックナット（１６０）に結合されていることを特徴とする連結装置。
【請求項２】
前記可動顎部（１００、１０１）の前記第１の端部（１０２、１０３）と前記調節用ロックナット（１６０）との間に、前記ねじ（１７０）が通る中心穴（１５１）を備えるワッシャ（１５０）が介装されている請求項１に記載の固定装置を有する連結装置。
【請求項３】
前記可動顎部（１００、１０１）には、ベース（１４２）に穴（１４１）を有すると共に当該ベースの両側に壁部（１４３、１４４）が配置されたＵ字型ばね（１４０）が設けられ、前記壁部の外側は、前記顎部（１００、１０１）の内壁に対して押圧している請求項１又は２に記載の固定装置を有する連結装置。
【請求項４】
前記可動顎部（１００、１０１）は、２個のフォーク（１０６、１０７）の端部に設けられた対応するヒンジ穴（１０４、１０５）内に収められたピン（１１０、１１１）によって関節接合された第１の端部（１０２、１０３）を備えており、前記フォークの一方は他方内で球状トグル接合（１３０）を抱持し、当該トグル接合の側方には、穴（１３１）が、前記可動顎部（１００、１０１）の前記フォーク（１０６、１０７）を互いに束縛する前記ピン（１１０、１１１）の端部を蝶着するために設けられ、前記球状トグルは、中心にねじ穴（１３２）が通され、前記ねじ（１７０）によって係合されている請求項１〜３のいずれか１項に記載の固定装置を有する連結装置。
【請求項５】
前記ロックナット（１６０）は、刻付き握持用壁部（１６２）により周囲を囲まれた平坦面（１６１）を有する第１の側面と、内部に前記ねじ（１７０）の四角頭部（１７１）を収める座部（１６４）が設けられた第２の側面（１６３）とを備え、前記ねじ（１７０）のねじ部（１７２）は、前記ロックナット（１６０）、ワッシャ（１５０）、ばね（１４０）を通り、穴（１３２）を介して球状トグル接合（１３０）に係合している請求項１〜４のいずれか１項に記載の固定装置を有する連結装置。
【請求項６】
前記磁性ベース（２０）を、頭部（１７１）に接触させて前記ロックナット（１６０）に一体化して収容すると共に、当該磁気ベースの一部を前記ロックナット（１６０）から突出させるように、止め部となる前記ねじ（１７０）の四角頭部（１７１）は、反対形状の座部（１６４）内であってくぼんでいる位置で、前記ロックナット（１６０）に係合されている請求項１〜５のいずれか１項に記載の固定装置を有する連結装置。
【請求項７】
前記固定装置（１０ａ、１０ｂ）の前記磁性ベース（２０）は、球形キャップ凹形状を有する引力座部（２０１）を備え、
更に、強磁性材料製の一枚板体からなる結合板（５０）が、電子機器（Ａ）の背部（６０）に備えられ、当該結合板は、前記機器（Ａ）の前記背部（６０）に一体化された基部（５１）と、前記背部（６０）の表面に対して膨らまされ、前記結合面（５２）を構成する突出部と、を備え、当該突出部の形状は、前記支持磁性ベース（２０）の前記凹状引力座部（２０１）の反対形状であり、凸状である
請求項１〜６のいずれか１項に記載の固定装置を有する連結装置。
【請求項８】
前記固定装置（１０ａ）は、前記２個の可動顎部（１００、１０１）のそれぞれに、高摩擦弾塑性材鞘（１２０、１２１）で覆われた第２の端部（１０８、１０９）を有している請求項１〜７のいずれか１項に記載の固定装置を有する連結装置。
【請求項９】
前記固定装置（１０ｂ）は、前記可動顎部（１００、１０１）の第２の端部（１０８、１０９）を備え、当該端部は、内側にリング（１８０）を存在させると共に、対応する前記顎部（１００、１０１）の端部（１０８、１０９）の部分を取り囲むシートを備え、残り部分は前記顎部（１００、１０１）自体の形状により部分的に覆われている請求項１〜７のいずれか１項に記載の固定装置を有する連結装置。
【請求項１０】
前記可動顎部（１００、１０１）は、蛍光顔料を含む熱可塑性材料製である請求項１〜９のいずれか１項に記載の固定装置を有する連結装置。
【請求項１１】
前記結合板（５０）は、シェル状カバーと、中央に配置された強磁性材料製の挿入部とを含み、
前記挿入部は、前記磁性ベース（２０）の前記引力座部（２０１）と反対形状でカバーの外面に対して突出し、
電子機器（Ａ）と接続する面において、前記カバーはハウジングを備え、当該ハウジングの内部には、バイ粘着性物質層が収められ、その厚みは、前記ハウジングの奥行きに比べて突出するように厚い
請求項１〜６及び８〜１０のいずれか１項に記載の固定装置を有する連結装置。
【請求項１２】
前記固定装置（１０ａ、１０ｂ）は、前記車室内の換気口（４０）の少なくとも１個のフィン（３０）に固定される請求項１〜１１のいずれか１項に記載の固定装置を有する連結装置。
【発明の詳細な説明】
【技術分野】
【０００１】
本発明は、磁性支持部材が設けられた固定装置を有する、携帯用電子機器の連結装置に関し、特に、フィンを備える換気口を有する車室用の連結装置に関する。
【背景技術】
【０００２】
〔分野〕
外部環境から自動車車室内へ導入し、或いは主要なフロー源として適切に車室に配置される空調システムを通過させ、拡散させて可能な限り一様になった空気流を分配することによって、車室を快適にする必要性があることが知られている。通常この分配は、車室の一定の場所に配置される換気口を通じて行われ、その二次フローの局所的拡散が可能となる。主に前記換気口は、ダッシュボードにおいて、中央かつギアボックストンネルの略上方、ハンドルの運転手側の側方、及び助手席側の窓付近に配置され、これらはいずれも、フロー源から出る主フローから空気を引き出すことによって二次フローの分配を提供する、接合チャネルの端部に配置される。他には、車室後部まで及ぶように、換気口が中央トンネル後端部に配置されていることもあり、また座席の下側に配置されていることもあるが、一般に、調節が容易な位置に配置される。
【０００３】
従来の換気口は、車室の内側面で、頚部(neck)に環状的に結合される突出グリルから構成され、その後端部に通気管が接続される。前記グリルは、平行で等距離にある一連の矩形のフィンを備え、フィン端部は中央位置で、そのグリルにおける内側に対向する２つの壁部に沿ってヒンジ止めされている。各フィンには、その後縁に沿って、全てのフィンを同時に連結する垂直ロッドに係合する座部が設けられている。垂直軸に沿って手動可能なように、グリルの前側で少なくとも１個のフィンにタブが備えられており、フィンがフローを横切るように配置され平行に重なってチャネルフローの大部分を阻害するまで、フィンを連続的に動かして、フローに対するフィンの入射角を漸次変えることができる。
【０００４】
携帯電話、カーナビゲーション、小型コンピュータは周知である。この種の携帯機器は現在では毎日、幅広く用いられており、どのような環境にもユーザが持ち運ぶものとなっている。少なくとも幾つかの国において、自動車の運転時にはそのような機器を安全な状況、いわゆるハンドフリーな状態で用いることが規則により課せられている。これによると、原則として携帯機器は、特に注意散漫となることなく容易にアクセスできるように、車室内の好ましくは運転手にできるだけ近い位置で、例えばダッシュボード又はギアボックストンネルに、しっかりと又は一時的に固定される支持部材に、安全に固定されていなければならない。
【０００５】
〔技術の現状〕
携帯用電子機器用支持部材は、車両内に元から備わっていない場合でも、様々なものを用いることができる。これまでのところ最も一般的なものは、固定ベースに吸盤を備える装置であり、この吸盤は、カムと協働するレバーにより操作され、吸盤のベースを所望の位置に保持するのに十分な負圧が得られる。吸盤ベースから支持アームが伸張し、その端部には電子機器を保持する別の手段、例えばねじクランプ、マジックテープ等が備わっている。電子機器が固定される第１材料層を、例えばダッシュボード上に、固定するために、経験に基づく支持部材が、例えば両面粘着テープ又はマジックテープを用いて、更に、ユーザによって直接提供されることもある。
【０００６】
永久磁石も同様に周知である。これも自動車産業で広く用いられており、主に車室の外部で、様々な機器及び付属品を取り外し可能に固定するのに使われている。磁石は様々な材料に引き付けられ、或いは反発される。例えば鉄及び鋼鉄等のより強く磁石に引き付けられる材料は、高透磁率を有しており、従って強磁性であると定義される。例えばネオジム又はＮＤ磁石等の様々な磁石があるが、温度に応じた良好な性質を有するため、これらが最良である。
【０００７】
永久磁石が車室内で用いられている場合には、常に支持手段として用いられている。例えば自動車車室のダッシュボードは、現在のようにプラスチック材料製ではなく、かつてはほとんどが金属材料製であり、一般的には金属板の形状であった。これが強磁性材料であることから、アクセサリー類、とりわけ小物や宗教的聖像は、その裏側に主に接着性結合面を介して、四角形や円形の幾何学形状に応じて形成された磁気テープを備えていた。このように、その裏側の磁石によって小物自体を所望の位置に設けることが可能であった。
【０００８】
特許文献には、機器及び付属品の支持部材に磁石を用いる重要な例が記載されている。例えばスウェーデン国特許第５１２３５８号（Gustavsson）は、コンピュータ、モニタ又はテレビに固定可能な、複数極の磁石を取り囲む鋼鉄製容器を備える、シールドされたマグネット携帯電話スタンドを記載している。接着剤又は両面粘着テープによって、磁石の容器がコンピュータに固定される。
【０００９】
代わって、本発明により近いのが、３極型ネオジム磁石式の携帯電話スタンドについて記載している韓国特許出願第２００ａ１００１２０２１（Ahn）である。磁気携帯電話スタンドは、車両に傷をつけることなく携帯電話を固定することを企図しており、場所や種類にかかわらず容易に保持できるようになっている。曲面に固定することを意図してスポンジ又はゴム体の弾性面から構成される。高弾性の前板が、ラテックス等の接着剤により弾性面の前側に接着される。芳香族化合物が弾性面に含まれており、磁石を保持するように中央にくぼみが形成されている。鉄を含む小型のステッカーを携帯電話バッテリに接着する。磁石を引き付ける鉄板の前面に両面粘着テープを付ける。磁石には、２極型磁石の代わりに、上方又は下方に接続能のあるもの、又は３極ネオジム磁石が用いられた。３極磁場を有する磁石は、均一な磁気分布を有するため、磁極付近に広い磁場を有する。磁石は内部の電子部品に影響を与えない。
【００１０】
米国特許第６８８８９４０号（Deppen）は、携帯電話用の磁気スタンドを記載している。強磁性材料製のカップから構成され、その内部に磁石が支持される。カップの背部は、車両のダッシュボードの表面にカップを固定するための両面粘着テープを備えている。磁力は、カップの前縁沿いに集中する。摩擦リングがカップの前縁を取り囲んでおり、内部磁石と携帯電話のバッテリ又は他の金属部分との間の磁力によってカップに固定された携帯電話を効果的に保持する。
【００１１】
国際公開第００４９９１９号（Wemy）は、様々な付属品及び機器の磁気結合装置を記載している。ゴム又はネオプレンでカバーされ周囲に丸い面を生じるように形成された磁石で構成されるベースを、粘着性物質によって自動車のダッシュボードに配置する。支持の目的を持った種々の備品が、ベースに接続されることができ、強磁性材から成るベース上に、カウンター形状の台座を提供する。
【００１２】
〔本発明の目的に最も近い技術の現状〕
下記の特許文献１では、特に車における携帯用電子機器の支持部材として、磁気連結装置が提案されている。磁気連結装置は、少なくとも２個の隣接し合う磁石と一体化しかつ車室の内側面に対して固定可能なベースと、支持対象である機器の背部又は機器を支持するように構成された中間付属品に、固定可能又は一体化した強磁性材料を含む結合板とを備えている。ベースは、少なくとも２個の相互に引き付ける永久磁石が同一平面上で結合することで構成され、また車室の表面に付着するための粘着性物質層をその一面に備える。各磁石は、多角平面の幾何学的形状をしている。少なくとも一部が強磁性材料から構成される、ベースと結合する板は、機器結合面にバイ粘着性物質層を備えている。ベース磁場に引き付けられる面は、確実に固定されるべき磁石上で、曝される磁場によって自動的に中央に配置されるのに十分な寸法を有している。
【００１３】
下記の特許文献２は、携帯電話用ヘッドホンを支持する汎用の付属品を記載しており、この付属品は、ヘッドホンを支持するＵ字型の受容部を備えている。受容部は、車室の換気口グリッドのフィンに固定するようにクリップの形状をした連結装置と、できれば取り外し可能にして連結される。クリップは、効率的な保持能が賦与されるように、２個の弾性的に曲がるジョイントから構成される。
【００１４】
下記の特許文献３には、携帯電話支持部材が記載されている。この場合、換気口フィンに固定するブラケットが設けられ、このブラケットは、電話の受容部を支持するようになっている。受容部には、両側に２個の弾性的に曲がる顎部が設けられており、携帯電話の側端を抱持して、取り外し可能位置に携帯電話を保持する。
【００１５】
上述の全てから、以下の事項が公知である。
ａ）自動車車室内、特にダッシュボード上における、電子機器又は支持用付属品、例えば携帯電話用の、容易に取り外し可能な支持部材の取り付けについて、少なくとも１個の磁石の使用。
ｂ）項目ａ）を目的とした単数又は複数の多極型磁石、つまり１個の中心極及び２個の側方極の磁場を有する三極型磁石。
ｃ）円形の幾何学的形状をしたベース内に一体化され、反対極性を有する、少なくとも２個の隣接し合う磁石であって、固定対象である電子機器又は支持用付属品に設けられた反対（カウンター）形状のメス台座（シート）内にセットされるように意図されたもの。
ｄ）電子機器付属品を支持する連結装置であって、その固定装置は、弾性的に曲がるクリップから構成され、電話用ヘッドホンの支持のために、固定装置は、車室の換気口フィンに固定される。
ｅ）携帯電話を支持するために調節可能な連結装置であって、車室内の換気口に固定されるもの。
【００１６】
出願人によると、最も関連した技術の現状について上記した解決法には、欠点がある。特に特許文献１において、磁石と一体化した支持部材は、自動車のダッシュボードに、適切に密着するように固定されない。とりわけ様々な気候条件を考慮に入れると、時間の経過と共に支持部材は接着能を失い、固定されなくなるのと同時に車室内で機器が落下すると考えるのが合理的であるため、電子機器の保持における危険性が客観的に存在する。特許文献１において、機器が落下する可能性は、ベースにおいて、隣接し合う磁石を一体化している低まった固定座部の特別な形状と、機器に取り付けられる、強磁性材料製のカウンター成形された結合板の結果的な形状と、にも理由がある。実質的に四辺形面のこの形状は、２部材間の十分な保持性を与えるものとは思われず、また運転中に車両が受ける継続的な応力は、車室内に必然的に影響を与えるため、座部から結合板が外れる可能性がある。ベースの座部の特殊な形状が理由で、電子機器への容易で迅速なアプローチが常に可能とはならず、更に、支持された状態の機器は方向を変えることができないと思われる。
【００１７】
特許文献２は、換気口フィンへ取り付けられる軽量の電話用ヘッドホン又はイヤホン用の支持装置を示唆しているが、重量のある標準的な携帯電話等の様々な負荷を支えるには好適ではない。というのは、フィンを抱持するのに使用されるクリップは、その保持に弾性能のみを利用しており、従って良好な固定能が確実に継続しないと思われ、落下の危険性がある。
【００１８】
特許文献３は、複雑且つ煩雑な従来の方法を示唆している。その上、支持装置を換気口に安定して固定するのに面倒な作業を必要とし、また携帯電話を配置するにはかなりの困難が伴う。
【００１９】
スウェーデン国特許第５１２３５８号（Gustavsson）に記載の関連性の低い方法では、磁石が付属品と直接接触しておらず、引力を誘起する面を構成する周辺容器を利用していが、これは磁石作用の効果を変化させ、期せずして機器が外れてしまう可能性がある。多極型磁石を用いる他の方法は、付属品の又は機器の良好な固定に好適であるように思えるが、一枚板構造の磁石で構成されており、今日の自動車の標準的な車室形状には見つけることが困難な十分な平面空間とかなりの寸法が必要である。
【００２０】
最後に国際公開第００４９９１９号（Wemy）に関連して、自動車のダッシュボードに固定された磁石の作用を、装置又は中間支持用付属品において得られるハウジング座部と組み合わせており、保持の有効性が改善されるように思える。しかし、標準的な一枚板状の磁石を用いると、ある程度の重量が機器にある場合にはそれに比例して磁石の寸法を増す必要があることを考慮に入れても、付属品の良好な保持能が全く得られないと考えるのが合理的である。この最後の問題は、上記した他の方法においても容易に起こる問題でもあり、磁石システムを固定する接着剤による効果的な接着を可能にするには、広くて十分に平坦な設置面が必要である。車両製造に関する外観及び技術における革新の結果、そのような面特性は実質的に減っており、曲面が増加する一方で、利用できる空間はより縮小されている。
【先行技術文献】
【特許文献】
【００２１】
【特許文献１】ＩＴ  ＴＶ２００７０１８２号（Zanetti）（国際公開第２００９／０６３３１４号）
【特許文献２】国際公開第２００８／０４２６９０号（Brown）
【特許文献３】日本国特許出願第１０−１２６４７４号（宮中）
【特許文献４】スウェーデン国特許第５１２３５８号（Gustavsson）
【特許文献５】韓国特許出願第２００ａ１００１２０２１（Ahn）
【特許文献６】米国特許第６８８８９４０号（Deppen）
【特許文献７】国際公開第００４９９１９号（Wemy）
【発明の概要】
【発明が解決しようとする課題】
【００２２】
結論として、公知技術により提供される装置では、その寸法が理由で、支持装置の製造コストが高くなるだけでなく、外観に望ましくない影響を与え、強磁性部分又は磁石のいずれかを装置上に適用する必要がある場合には、携帯電話機器の重量及び寸法がかなり増加するだけでなく、車室内への装置の取り付けがユーザにとって目に見えて魅力を感じるものではなくなっている。これら全てを考慮して、各企業は少なくとも上述した問題を克服することのできる新規な方法を見出す必要がある。
【課題を解決するための手段】
【００２３】
上記した及びその他の目標は、付属の請求項に記載の特徴を持つ本発明によって達成され、上述した問題は、磁性支持部材を備えた固定装置を有する携帯用電子機器の連結装置、特に、フィンを備えるタイプの換気口を有する車室用の連結装置によって解決される。この連結装置において、
−  携帯用電子機器を支持する磁性支持部材は、車室の内側面に固定可能であり少なくとも２個の隣接し合う磁石からなる磁性ベースと、支持対象である電子機器の背部又は機器を支持するように構成された中間付属品に固定可能な又は一体化された強磁性材料を含む結合板とを備え、
−  前記磁石は、結合板の結合面を受容する引力座部を有し、軸方向に反対の極性で磁化され同一平面で接近する少なくとも２個の相互に引き付ける永久磁石からなり、
−  結合板は、磁性ベースに対し、強磁性材料からなる結合面に少なくとも１つの突出部を備えており、
固定装置に取り付けられる磁性ベースは、球形のキャップ断面を備えた凹形状を有する引力座部を備え、更に、固定装置は、２個の可動顎部を含むクランプを有し、当該可動顎部は、第１の端部において相互に関節接合され、第１の端部基部に関連してカム形状面を備え、ねじが通る同軸上を調節用ロックナットに押し付けられ、そして、引力座部を備える磁性ベースは、ロックナットに結合される。
【００２４】
このように、即効性があり重要な技術的改善の効果を示す、著しく創造的な寄与を通して、種々の重要な目標が達成される。
【００２５】
第１の目標は、特に磁性支持部材を車室の換気口に安定して係合するのに有効な、固定装置を有する連結装置を得ることであった。これにより、機器が期せずして外れることが防がれ、恒久的に及び気候条件から独立し、たとえ険しい運転条件であっても、運転中の特有の応力に関しても、携帯用電子機器を支持する機能を確実にする。
【００２６】
第２の目標は、磁性ベースを備える固定装置の固定又は取り外しを極めて容易なものとし、また必要に応じて容易に顎部のクランプ強度の調節を行えるものとすることであった。例えば、車速と、車室に日常的に長期間伝播される応力と、を原因とする、内在する緩みが起こった場合に必要となる。
【００２７】
第３の目標は、良好なクランプ能力を持って弾性的に機能する端部を有する顎部の効果的な把持によって、たとえ厳しい気候条件下又は高温下においても、固定装置の保持作用が更に改善されるという事実にある。
【００２８】
第４の達成目標は、磁性ベースに得られた引力座部の特定の形状に関しており、それが球形キャップ形状から構成されることで電子機器に備えられた反対形状の結合板の接近を補助し、状況に応じて１以上の軸で方向を調節する。支持部材に対する機器の接続及び取り外し動作は、自己中央寄せ（セルフセンタリング）方法により更に促進され、特許文献１に記載の方法を用いた場合と比較して同様の方法を更により正確化できる。隣接し合う磁石を用いると、システムを構成する磁石の対称中心及び周辺磁束線の集中が、ベースの総引力面の中心に一致する位置に、ユーザの手が多極型磁場によって更に動かされて、機器に連結された挿入部又は結合板が正確な位置に誘導される。
【００２９】
特許文献１と特許文献２との組み合わせは、両者を満たす必要があっても互いの目的が著しく異なるため、当業者に自明ではない。実際に特許文献１では、粘着性の支持部材によって電子機器を車両のダッシュボードに支持する必要があるが、特許文献２では、場所を換気口に特定し、支持部材はイヤホンヘッドホンのみを保持することを企図している。その上、強度を調整することのできない固定クリップの構成は、従来の電子機器の重量に匹敵する荷重を支持する構造を備えておらず、その寸法や詳細を十分に変更して本発明の目標の１つと同等の結果を得ることはできないと言わざるを得ない。
【００３０】
もう１つの目標は、ユーザが容易にアクセス可能で、同時に良好な磁力集中の保持を確実にし、引力座部の球形キャップ形状によって調整が為される可能性が高い、換気口のように障害物が実質的に存在しない領域に、磁性支持部材を固定することが可能な固定装置を提供することであった。更にもう１つの目標は、外観に与える影響を低減し、それと共に製造コストと製品の在庫管理コストを制限することにであった。
【００３１】
結論として、これら利点の重大な価値が良好な技術的内容を達成することとなる。
【００３２】
上記した及びその他の利点は、幾つかの好適な実施形態を付属の模式図を参照して以下に詳細に説明することにより明らかになるであろう。その実施の詳細は本発明を限定するものと見なされるべきではなく、例示のみを目的としているに過ぎない。
【図面の簡単な説明】
【００３３】
【図１】換気口に取り付けて電子機器を連結するための、磁性支持部材が設けられた固定装置を有する、連結装置の組立品の断面図である。
【図２】図１において、結合板により電子機器が結合された固定装置が換気口に固定されている、取り付け状態の連結装置の組立品の側面図である。
【図３】図１及び２のみに関する固定装置の分解図である。
【図４】図１〜３の固定装置の立体平面図である。
【図５】換気口に取り付けて電子機器を連結するための、磁性支持部材が設けられた固定装置を有する、別実施形態の連結装置の組立品の断面図である。
【図６】図５において、電子機器が結合された固定装置が換気口に固定されている、取り付け状態の連結装置の組立品の側面図である。
【図７】図５及び６のみに関する固定装置の立体図である。
【図８】図７のみに関する固定装置の立体断平面図である。
【発明を実施するための形態】
【００３４】
本発明は、車室内及び特に換気口（４０）のフィン（３０）（図２、６）に、特に携帯用電子機器（Ａ）（図１、５）を取外し可能に固定するための、磁性ベース（２０）を支持する固定装置（１０ａ、１０ｂ）（図４、７）を含む連結装置（１０ａ、１０ｂ）、（２０）、（５０）に関する。ある場合には携帯用電子機器（Ａ）は、その背部（６０）に部分的に一体化された結合板（５０）を備えるタイプである。
【００３５】
クランプ型の固定装置（１０ａ、１０ｂ）（図４、７）は、基本的に２個の対称な可動顎部（１００、１０１）（図３）から構成されており、顎部はピン（１１０、１１１）によりジョイント接合される第１の端部（１０２、１０３）を有している。ピン（１１０、１１１）は、２個のフォーク（１０６、１０７）の端部に設けられた対応するヒンジ穴（１０４、１０５）内に収められる。フォークの一方は他方内で球状トグル接合（１３０）を抱持する。トグル接合の側方には、可動顎部（１００、１０１）のフォーク（１０６、１０７）を互いに束縛するピン（１１０、１１１）の端部を蝶着するように、直径方向に対向する穴（１３１）が設けられている。フィン（３０）上への保持機能を得るために顎部（１００、１０１）を回動させる要素を形成する２本のピン（１１０、１１１）は、球状トグル接合（１３０）の中央ねじ穴(threaded)（１３２）の直径と構造的に干渉する影響があるため、球状トグル接合（１３０）を貫通しておらず(unthread)、径方向に設けられた穴（１３１）内に収められる。固定装置（１０ａ）における２個の可動顎部（１００、１０１）の第２の端部（１０８、１０９）のそれぞれは、高摩擦弾塑性材鞘（１２０、１２１）（図４）、例えばある種の天然ラテックスゴム、で覆われている。図８の実施形態では、可動顎部（１００、１０１）の第２の端部（１０８、１０９）が、内側にリング（１８０）（図８）を挿入可能なシート(seat)を備えており、それは対応する顎部（１００、１０１）の端部（１０８、１０９）の部分を取り囲み、その残り部分は顎部（１００、１０１）自体の形状により部分的に覆われるように、固定装置（１０ｂ）が構成されている。原則として、可動顎部（１００、１０１）はめっき処理したダイカスト亜鉛合金製であってもよいし、或いは暗所でもその位置を示して携帯用電子機器（Ａ）の設置が容易となるように蛍光顔料を含む、ポリカーボネート等の熱可塑性材料製であってもよい。 
【００３６】
ばね（１４０）は、その両側に壁部（１４３、１４４）が配置されるベース（１４２）に穴（１４１）を有するＵ字型をしている。壁部（１４３、１４４）の外側は、顎部（１００、１０１）の内壁に対して押圧している。
【００３７】
ばね（１４０）の穴（１４１）と一致する中心穴（１５１）を備えるワッシャ（１５０）が、ばね（１４０）のベース（１４２）とロックナット（１６０）の平坦面（１６１）との間に配置される。ある場合には、ワッシャ（１５０）は、ロックナット（１６０）の平坦面（１６１）に設けられた対応する座部内に収められる。
【００３８】
ロックナット（１６０）（図４）は、刻付き握持用壁部（１６２）により周囲を囲まれる平坦面（１６１）を有する第１の側面と、内部にねじ（１７０）の四角頭部（１７１）を収める座部（１６４）が設けられた第２の側面（１６３）とを備えており、ねじ（１７０）のねじ部（１７２）は、ロックナット（１６０）、ワッシャ（１５０）、ばね（１４０）を通って、穴（１３２）を介して球状トグル接合（１３０）と係合する。磁性ベース（２０）を、頭部（１７１）に接触させ、当該磁性ベースの一部をロックナット（１６０）から突出させ、ロックナット（１６０）に一体化して収容することができる余剰空間を残すように、止め部となるねじ（１７０）の四角頭部（１７１）は、反対形状の座部（１６４）内であって実質的にくぼんでいる位置で、ロックナット（１６０）に係合される状態に維持される。
【００３９】
磁性ベース（２０）は、磁性ベース（２０）により引き付けられる、携帯機器（Ａ）に連結された結合板（５０）（図３）と協働する。磁性ベース（２０）は更に、それぞれが軸方向に反対の極性で磁化されている少なくとも２個の磁石（２００）が接近して得られている。例示的な実施形態では、少なくともＮ４８に相当する等級に磁化されたＮＤ（ネオジム）製の４個の対称性を有する磁石（２００）を連結して得ている。各磁石（２００）は、平面視して正方形の幾何学形状を備えると共に、磁石（２００）が磁性ベース（２０）を形成するために互いに連結されて球形のキャップ断面を備える凹形状を有する引力座部（２０１）を構成するような成形結合面を備える、実質的に平行６面体の形状を備えている。各ネオジム磁石（２００）は金でコーティングされていてもよく、非常に薄い厚さで酸化及び腐食に対する高い防止効果を得ることができる。これは、磁石（２００）表面と強磁性結合板（５０）表面との距離の指数関数的関係に反比例する磁気効率を、可能な限り最大にすることを意図している。
【００４０】
電子機器（Ａ）、例えば携帯電話は、背部（６０）に結合板（５０）が備わっているタイプのものである。結合板（５０）は、強磁性材料製の一枚板体であり、機器（Ａ）の背部（６０）に一体化される基部（５１）と、背部（６０）の表面に対して膨らまされ、結合面（５２）を構成する突出部と、を備え、その突出部の形状は、支持磁性ベース（２０）の凹状引力座部（２０１）の反対形状であり、この場合は凸状である。
【００４１】
別態様では、結合板（５０）は、中央に配置された強磁性材料製の挿入部に対して、重ね射出成形したプラスチック材料製のシェル状のカバーを含んでいる。挿入部は、磁性ベース（２０）の引力座部（２０１）と反対形状でカバーの外面に対して突出している。カバーの形状については、強磁性材料からなる挿入部の抜き取りを防ぐ、周縁歯からなる保持領域が内側から提供される。その上、電子機器（Ａ）と接続する面において、カバーはハウジングを備え、その内部には、バイ粘着性(biadhesive)物質層が収められ、その厚みは、ハウジングの奥行きに比べて突出するように厚くされている。接着面は、挿入部を保持するカバーに、バイ粘着性物質層を確実に連結し、一方、外面は、取り外し可能な固着防止フィルムを備え、結合板を支持対象物へ固定するのに有利に働くように意図されており、表面形状に最適な方法で適合することができる。
【産業上の利用可能性】
【００４２】
本発明は、磁性支持部材が設けられた固定装置を有する、携帯用電子機器の連結装置に関し、特に、フィンを備える換気口を有する車室用の連結装置に好適に利用することができる。
【符号の説明】
【００４３】
（１０ａ、１０ｂ）固定装置
（２０）磁性ベース
（Ａ）携帯用電子機器
（３０）フィン
（４０）換気口
（１００、１０１）可動顎部
（１０２、１０３）第１の端部
（１１０、１１１）ピン
（１０４、１０５）ヒンジ穴
（１０６、１０７）フォーク
（１３０）球状トグル接合
（１３１）穴
（１３２）トグルねじ穴
（１０８、１０９）第２の端部
（１２０、１２１）高摩擦鞘
（１４０）ばね
（１４１）穴
（１４２）ベース
（１４３、１４４）壁部
（１５０）ワッシャ
（１５１）中心穴
（１６０）ロックナット
（１６１）平坦面
（１６２）刻付き握持用壁部
（１６３）第２の側面
（１６４）座部 
（１７０）ねじ
（１７１）四角頭部
（１７２）ねじ部
（５０）結合板
（５１）基部
（５２）結合面を構成する突出部
（２００）磁石
（２０１）球形切片の凹状引力座部
（６０）電子機器の背部
（１８０）弾塑性リング
【図１】
2011523829.tif 000003
【図２】
2011523829.tif 000004
【図３】
2011523829.tif 000005
【図４】
2011523829.tif 000006
【図５】
2011523829.tif 000007
【図６】
2011523829.tif 000008
【図７】
2011523829.tif 000009
【図８】
2011523829.tif 000010
【手続補正書】
【提出日】平成22年5月5日(2010.5.5)
【手続補正１】
【補正対象書類名】明細書
【補正対象項目名】全文
【補正方法】変更
【補正の内容】
【発明の詳細な説明】
【技術分野】
【０００１】
本発明は、磁性支持部材が設けられた固定装置を有する、携帯用電子機器の連結装置に関し、特に、フィンを備える換気口を有する車室用の連結装置に関する。
【背景技術】
【０００２】
〔分野〕
外部環境から自動車車室内へ導入し、或いは主要なフロー源として適切に車室に配置される空調システムを通過させ、拡散させて可能な限り一様になった空気流を分配することによって、車室を快適にする必要性があることが知られている。通常この分配は、車室の一定の場所に配置される換気口を通じて行われ、その二次フローの局所的拡散が可能となる。主に前記換気口は、ダッシュボードにおいて、中央かつギアボックストンネルの略上方、ハンドルの運転手側の側方、及び助手席側の窓付近に配置され、これらはいずれも、フロー源から出る主フローから空気を引き出すことによって二次フローの分配を提供する、接合チャネルの端部に配置される。他には、車室後部まで及ぶように、換気口が中央トンネル後端部に配置されていることもあり、また座席の下側に配置されていることもあるが、一般に、調節が容易な位置に配置される。
【０００３】
従来の換気口は、車室の内側面で、頚部(neck)に環状的に結合される突出グリルから構成され、その後端部に通気管が接続される。前記グリルは、平行で等距離にある一連の矩形のフィンを備え、フィン端部は中央位置で、そのグリルにおける内側に対向する２つの壁部に沿ってヒンジ止めされている。各フィンには、その後縁に沿って、全てのフィンを同時に連結する垂直ロッドに係合する座部が設けられている。垂直軸に沿って手動可能なように、グリルの前側で少なくとも１個のフィンにタブが備えられており、フィンがフローを横切るように配置され平行に重なってチャネルフローの大部分を阻害するまで、フィンを連続的に動かして、フローに対するフィンの入射角を漸次変えることができる。
【０００４】
携帯電話、カーナビゲーション、小型コンピュータは周知である。この種の携帯機器は現在では毎日、幅広く用いられており、どのような環境にもユーザが持ち運ぶものとなっている。少なくとも幾つかの国において、自動車の運転時にはそのような機器を安全な状況、いわゆるハンドフリーな状態で用いることが規則により課せられている。これによると、原則として携帯機器は、特に注意散漫となることなく容易にアクセスできるように、車室内の好ましくは運転手にできるだけ近い位置で、例えばダッシュボード又はギアボックストンネルに、しっかりと又は一時的に固定される支持部材に、安全に固定されていなければならない。
【０００５】
〔技術の現状〕
携帯用電子機器用支持部材は、車両内に元から備わっていない場合でも、様々なものを用いることができる。これまでのところ最も一般的なものは、固定ベースに吸盤を備える装置であり、この吸盤は、カムと協働するレバーにより操作され、吸盤のベースを所望の位置に保持するのに十分な負圧が得られる。吸盤ベースから支持アームが伸張し、その端部には電子機器を保持する別の手段、例えばねじクランプ、マジックテープ等が備わっている。電子機器が固定される第１材料層を、例えばダッシュボード上に、固定するために、経験に基づく支持部材が、例えば両面粘着テープ又はマジックテープを用いて、更に、ユーザによって直接提供されることもある。
【０００６】
永久磁石も同様に周知である。これも自動車産業で広く用いられており、主に車室の外部で、様々な機器及び付属品を取り外し可能に固定するのに使われている。磁石は様々な材料に引き付けられ、或いは反発される。例えば鉄及び鋼鉄等のより強く磁石に引き付けられる材料は、高透磁率を有しており、従って強磁性であると定義される。例えばネオジム又はＮＤ磁石等の様々な磁石があるが、温度に応じた良好な性質を有するため、これらが最良である。
【０００７】
永久磁石が車室内で用いられている場合には、常に支持手段として用いられている。例えば自動車車室のダッシュボードは、現在のようにプラスチック材料製ではなく、かつてはほとんどが金属材料製であり、一般的には金属板の形状であった。これが強磁性材料であることから、アクセサリー類、とりわけ小物や宗教的聖像は、その裏側に主に接着性結合面を介して、四角形や円形の幾何学形状に応じて形成された磁気テープを備えていた。このように、その裏側の磁石によって小物自体を所望の位置に設けることが可能であった。
【０００８】
特許文献には、機器及び付属品の支持部材に磁石を用いる重要な例が記載されている。例えばスウェーデン国特許第５１２３５８号（Gustavsson）は、コンピュータ、モニタ又はテレビに固定可能な、複数極の磁石を取り囲む鋼鉄製容器を備える、シールドされたマグネット携帯電話スタンドを記載している。接着剤又は両面粘着テープによって、磁石の容器がコンピュータに固定される。
【０００９】
代わって、本発明により近いのが、３極型ネオジム磁石式の携帯電話スタンドについて記載している韓国特許出願第２００ａ１００１２０２１（Ahn）である。磁気携帯電話スタンドは、車両に傷をつけることなく携帯電話を固定することを企図しており、場所や種類にかかわらず容易に保持できるようになっている。曲面に固定することを意図してスポンジ又はゴム体の弾性面から構成される。高弾性の前板が、ラテックス等の接着剤により弾性面の前側に接着される。芳香族化合物が弾性面に含まれており、磁石を保持するように中央にくぼみが形成されている。鉄を含む小型のステッカーを携帯電話バッテリに接着する。磁石を引き付ける鉄板の前面に両面粘着テープを付ける。磁石には、２極型磁石の代わりに、上方又は下方に接続能のあるもの、又は３極ネオジム磁石が用いられた。３極磁場を有する磁石は、均一な磁気分布を有するため、磁極付近に広い磁場を有する。磁石は内部の電子部品に影響を与えない。
【００１０】
米国特許第６８８８９４０号（Deppen）は、携帯電話用の磁気スタンドを記載している。強磁性材料製のカップから構成され、その内部に磁石が支持される。カップの背部は、車両のダッシュボードの表面にカップを固定するための両面粘着テープを備えている。磁力は、カップの前縁沿いに集中する。摩擦リングがカップの前縁を取り囲んでおり、内部磁石と携帯電話のバッテリ又は他の金属部分との間の磁力によってカップに固定された携帯電話を効果的に保持する。
【００１１】
国際公開第００４９９１９号（Wemy）は、様々な付属品及び機器の磁気結合装置を記載している。ゴム又はネオプレンでカバーされ周囲に丸い面を生じるように形成された磁石で構成されるベースを、粘着性物質によって自動車のダッシュボードに配置する。支持の目的を持った種々の備品が、ベースに接続されることができ、強磁性材から成るベース上に、カウンター形状の台座を提供する。
【００１２】
〔本発明の目的に最も近い技術の現状〕
下記の特許文献１では、特に車における携帯用電子機器の支持部材として、磁気連結装置が提案されている。磁気連結装置は、少なくとも２個の隣接し合う磁石と一体化しかつ車室の内側面に対して固定可能なベースと、支持対象である機器の背部又は機器を支持するように構成された中間付属品に、固定可能又は一体化した強磁性材料を含む結合板とを備えている。ベースは、少なくとも２個の相互に引き付ける永久磁石が同一平面上で結合することで構成され、また車室の表面に付着するための粘着性物質層をその一面に備える。各磁石は、多角平面の幾何学的形状をしている。少なくとも一部が強磁性材料から構成される、ベースと結合する板は、機器結合面にバイ粘着性物質層を備えている。ベース磁場に引き付けられる面は、確実に固定されるべき磁石上で、曝される磁場によって自動的に中央に配置されるのに十分な寸法を有している。
【００１３】
下記の特許文献２は、携帯電話用ヘッドホンを支持する汎用の付属品を記載しており、この付属品は、ヘッドホンを支持するＵ字型の受容部を備えている。受容部は、車室の換気口グリッドのフィンに固定するようにクリップの形状をした連結装置と、できれば取り外し可能にして連結される。クリップは、効率的な保持能が賦与されるように、２個の弾性的に曲がるジョイントから構成される。
【００１４】
下記の特許文献３には、携帯電話支持部材が記載されている。この場合、換気口フィンに固定するブラケットが設けられ、このブラケットは、電話の受容部を支持するようになっている。受容部には、両側に２個の弾性的に曲がる顎部が設けられており、携帯電話の側端を抱持して、取り外し可能位置に携帯電話を保持する。
【００１５】
上述の全てから、以下の事項が公知である。
ａ）自動車車室内、特にダッシュボード上における、電子機器又は支持用付属品、例えば携帯電話用の、容易に取り外し可能な支持部材の取り付けについて、少なくとも１個の磁石の使用。
ｂ）項目ａ）を目的とした単数又は複数の多極型磁石、つまり１個の中心極及び２個の側方極の磁場を有する三極型磁石。
ｃ）円形の幾何学的形状をしたベース内に一体化され、反対極性を有する、少なくとも２個の隣接し合う磁石であって、固定対象である電子機器又は支持用付属品に設けられた反対（カウンター）形状のメス台座（シート）内にセットされるように意図されたもの。
ｄ）電子機器付属品を支持する連結装置であって、その固定装置は、弾性的に曲がるクリップから構成され、電話用ヘッドホンの支持のために、固定装置は、車室の換気口フィンに固定される。
ｅ）携帯電話を支持するために調節可能な連結装置であって、車室内の換気口に固定されるもの。
【００１６】
出願人によると、最も関連した技術の現状について上記した解決法には、欠点がある。特に特許文献１において、磁石と一体化した支持部材は、自動車のダッシュボードに、適切に密着するように固定されない。とりわけ様々な気候条件を考慮に入れると、時間の経過と共に支持部材は接着能を失い、固定されなくなるのと同時に車室内で機器が落下すると考えるのが合理的であるため、電子機器の保持における危険性が客観的に存在する。特許文献１において、機器が落下する可能性は、ベースにおいて、隣接し合う磁石を一体化している低まった固定座部の特別な形状と、機器に取り付けられる、強磁性材料製のカウンター成形された結合板の結果的な形状と、にも理由がある。実質的に四辺形面のこの形状は、２部材間の十分な保持性を与えるものとは思われず、また運転中に車両が受ける継続的な応力は、車室内に必然的に影響を与えるため、座部から結合板が外れる可能性がある。ベースの座部の特殊な形状が理由で、電子機器への容易で迅速なアプローチが常に可能とはならず、更に、支持された状態の機器は方向を変えることができないと思われる。
【００１７】
特許文献２は、換気口フィンへ取り付けられる軽量の電話用ヘッドホン又はイヤホン用の支持装置を示唆しているが、重量のある標準的な携帯電話等の様々な負荷を支えるには好適ではない。というのは、フィンを抱持するのに使用されるクリップは、その保持に弾性能のみを利用しており、従って良好な固定能が確実に継続しないと思われ、落下の危険性がある。
【００１８】
特許文献３は、複雑且つ煩雑な従来の方法を示唆している。その上、支持装置を換気口に安定して固定するのに面倒な作業を必要とし、また携帯電話を配置するにはかなりの困難が伴う。
【００１９】
スウェーデン国特許第５１２３５８号（Gustavsson）に記載の関連性の低い方法では、磁石が付属品と直接接触しておらず、引力を誘起する面を構成する周辺容器を利用していが、これは磁石作用の効果を変化させ、期せずして機器が外れてしまう可能性がある。多極型磁石を用いる他の方法は、付属品の又は機器の良好な固定に好適であるように思えるが、一枚板構造の磁石で構成されており、今日の自動車の標準的な車室形状には見つけることが困難な十分な平面空間とかなりの寸法が必要である。
【００２０】
最後に国際公開第００４９９１９号（Wemy）に関連して、自動車のダッシュボードに固定された磁石の作用を、装置又は中間支持用付属品において得られるハウジング座部と組み合わせており、保持の有効性が改善されるように思える。しかし、標準的な一枚板状の磁石を用いると、ある程度の重量が機器にある場合にはそれに比例して磁石の寸法を増す必要があることを考慮に入れても、付属品の良好な保持能が全く得られないと考えるのが合理的である。この最後の問題は、上記した他の方法においても容易に起こる問題でもあり、磁石システムを固定する接着剤による効果的な接着を可能にするには、広くて十分に平坦な設置面が必要である。車両製造に関する外観及び技術における革新の結果、そのような面特性は実質的に減っており、曲面が増加する一方で、利用できる空間はより縮小されている。
【００２１】
ＰＣＴ願書を受け、国際調査機関により２０１０年５月７日に発行された調査報告は、技術の現状について述べている更なる文献について言及しているが、特筆すべきものはないとしている。具体的には、下記の先行技術文献について言及している。
国際公開第０００２３６２号（Caprara）は、支持手段に適用する磁石を備える、特に携帯電話用の、自在継ぎ手要素を記載している。携帯電話用の結合部材を備えた中間要素が、前記磁石を磁気的に取り付け可能であることを特徴とする。
国際公開第００４９９１９号（Wemyss）は、自動車のダッシュボード等の所望の非鉄面に固定取り付けした業務用途に耐える磁性ベースに、迅速に磁気的に結合及び取り外しされる保持装置を備える磁気結合器の態様を記載している。磁性ベースは、鉄円盤と良好に結合する磁石を包み込む非鉄の低い柔軟なデュロメータ（durometer）シェルを備える。保持対象である装置が比較的重い又は厚型である場合、保持対象である保持装置／物体は、保持装置の外側部分に固着した支持部材周囲の組立品を含む。保持対象である装置が軽い又は薄型である場合、磁性ベースと磁気的に結合する鉄を装置が十分に含んでいない限り、装置の表面積の１／１０未満の表面積を有し磁性ベースと磁気的に結合する鉄円盤を、装置表面に接着する。厚型の保持装置の例としては飲料カップホルダ、クリップ、クリップボード、用紙／鍵／コイン用トレー、封筒ホルダ、及びレーダー検知器ベースが挙げられる。薄型の保持装置の例としては、携帯パソコン用、計算機用、携帯電話用、及び眼鏡用のホルダが挙げられる。
米国特許第５０９６１５０号（Westwood）は、支持対象物又はそのような物体を別の装置に接続する部材にクランプ式に係合するように適合した、或いは支持部材又はそれに連結した物体をクランプ式に係合するように適合した、締め付け装置を記載している。この装置は、プラスチック材料で射出成型可能な締め付け部品を備え、締め付け装置の本体部に対して枢動する締め付け部品と、プラスチック材料（締め付け部品又は顎部が成形された当初の開位置又は閉位置に可撓的に復元するように記憶特性を備える）とを連結する「リビングヒンジ」を利用している。別変形例において、締め付け装置は、プラスチックの記憶特性を利用せず、クランプナットによって作動しない場合に顎部又は締め付け部品を所望の位置に移動させる独立したばねを備える、締め付け構造を有する。
米国特許第４７０２４４７号（Westwood）は、２物体を相互連結する締め付け装置を記載している。そのうち一方は支持部材であってもよく、他方は支持対象である物品であってもよい。締め付け装置は軸部とその一端で軸部に連結する複数の顎部とを備え、手動操作されるナットを軸上にねじ込んで顎部を係合させて、２物体のうち一方と連結され、そして、軸の他端に係合される手段は、２物体のうち他方に連結される。顎部は様々な形状、寸法、構成で形成されており、顎部の延長面と係合する面を備えるねじ付きナットを手動回転することで顎部を閉じる力が得られるような配置になっており、顎部を物体と係合する位置へ移動させてその位置に保持する。軸の他端は、他の物体への連結を提供する様々な構造をしており、一実施形態において、軸は、旗竿や他の類似の構造物を受容して保持する隙間部を備える。
英国特許第３６７５２９号（Hunter）は、試験管やフラスコを保持するスタンドを記載している。脚部の一方から立ち上がる支持部に、垂直方向の調節が可能な水平上方腕部を取り付けてあり、試験管を保持するクリップが備わっている。クリップは、内側をフェルトで覆った一対のレバー顎部を備え、腕部に対して旋回可能であり、顎部の２本の内側アームの間に係合している共にナットにより腕部に沿って移動可能な円錐形部によって閉じられる。
見解書は、請求項１〜１２は何れも新規性及び進歩性があると結論付けている。
【先行技術文献】
【特許文献】
【００２２】
【特許文献１】ＩＴ  ＴＶ２００７０１８２号（Zanetti）（国際公開第２００９／０６３３１４号）
【特許文献２】国際公開第２００８／０４２６９０号（Brown）
【特許文献３】日本国特許出願第１０−１２６４７４号（宮中）
【特許文献４】スウェーデン国特許第５１２３５８号（Gustavsson）
【特許文献５】韓国特許出願第２００ａ１００１２０２１（Ahn）
【特許文献６】米国特許第６８８８９４０号（Deppen）
【特許文献７】国際公開第００４９９１９号（Wemy）
【特許文献８】国際公開第０００２３６２号（Caprara）
【特許文献９】国際公開第００４９９１９号（Wemyss）
【特許文献１０】米国特許第５０９６１５０号（Westwood）
【特許文献１１】米国特許第４７０２４４７号（Westwood）
【特許文献１２】英国特許第３６７５２９号（Hunter）
【発明の概要】
【発明が解決しようとする課題】
【００２３】
結論として、公知技術により提供される装置では、その寸法が理由で、支持装置の製造コストが高くなるだけでなく、外観に望ましくない影響を与え、強磁性部分又は磁石のいずれかを装置上に適用する必要がある場合には、携帯電話機器の重量及び寸法がかなり増加するだけでなく、車室内への装置の取り付けがユーザにとって目に見えて魅力を感じるものではなくなっている。これら全てを考慮して、各企業は少なくとも上述した問題を克服することのできる新規な方法を見出す必要がある。
【課題を解決するための手段】
【００２４】
上記した及びその他の目標は、付属の請求項に記載の特徴を持つ本発明によって達成され、上述した問題は、磁性支持部材を備えた固定装置を有する携帯用電子機器の連結装置、特に、フィンを備えるタイプの換気口を有する車室用の連結装置によって解決される。この連結装置において、
−  携帯用電子機器を支持する磁性支持部材は、車室の内側面に固定可能であり少なくとも２個の隣接し合う磁石からなる磁性ベースと、支持対象である電子機器の背部又は機器を支持するように構成された中間付属品に固定可能な又は一体化された強磁性材料を含む結合板とを備え、
−  前記磁石は、結合板の結合面を受容する引力座部を有し、軸方向に反対の極性で磁化され同一平面で接近する少なくとも２個の相互に引き付ける永久磁石からなり、
−  結合板は、磁性ベースに対し、強磁性材料からなる結合面に少なくとも１つの突出部を備えており、
固定装置に取り付けられる磁性ベースは、球形のキャップ断面を備えた凹形状を有する引力座部を備え、更に、固定装置は、２個の可動顎部を含むクランプを有し、当該可動顎部は、第１の端部において相互に関節接合され、第１の端部基部に関連してカム形状面を備え、ねじが通る同軸上を調節用ロックナットに押し付けられ、そして、引力座部を備える磁性ベースは、ロックナットに結合される。
【００２５】
このように、即効性があり重要な技術的改善の効果を示す、著しく創造的な寄与を通して、種々の重要な目標が達成される。
【００２６】
第１の目標は、特に磁性支持部材を車室の換気口に安定して係合するのに有効な、固定装置を有する連結装置を得ることであった。これにより、機器が期せずして外れることが防がれ、恒久的に及び気候条件から独立し、たとえ険しい運転条件であっても、運転中の特有の応力に関しても、携帯用電子機器を支持する機能を確実にする。
【００２７】
第２の目標は、磁性ベースを備える固定装置の固定又は取り外しを極めて容易なものとし、また必要に応じて容易に顎部のクランプ強度の調節を行えるものとすることであった。例えば、車速と、車室に日常的に長期間伝播される応力と、を原因とする、内在する緩みが起こった場合に必要となる。
【００２８】
第３の目標は、良好なクランプ能力を持って弾性的に機能する端部を有する顎部の効果的な把持によって、たとえ厳しい気候条件下又は高温下においても、固定装置の保持作用が更に改善されるという事実にある。
【００２９】
第４の達成目標は、磁性ベースに得られた引力座部の特定の形状に関しており、それが球形キャップ形状から構成されることで電子機器に備えられた反対形状の結合板の接近を補助し、状況に応じて１以上の軸で方向を調節する。支持部材に対する機器の接続及び取り外し動作は、自己中央寄せ（セルフセンタリング）方法により更に促進され、特許文献１に記載の方法を用いた場合と比較して同様の方法を更により正確化できる。隣接し合う磁石を用いると、システムを構成する磁石の対称中心及び周辺磁束線の集中が、ベースの総引力面の中心に一致する位置に、ユーザの手が多極型磁場によって更に動かされて、機器に連結された挿入部又は結合板が正確な位置に誘導される。
【００３０】
特許文献１と特許文献２との組み合わせは、両者を満たす必要があっても互いの目的が著しく異なるため、当業者に自明ではない。実際に特許文献１では、粘着性の支持部材によって電子機器を車両のダッシュボードに支持する必要があるが、特許文献２では、場所を換気口に特定し、支持部材はイヤホンヘッドホンのみを保持することを企図している。その上、強度を調整することのできない固定クリップの構成は、従来の電子機器の重量に匹敵する荷重を支持する構造を備えておらず、その寸法や詳細を十分に変更して本発明の目標の１つと同等の結果を得ることはできないと言わざるを得ない。
【００３１】
もう１つの目標は、ユーザが容易にアクセス可能で、同時に良好な磁力集中の保持を確実にし、引力座部の球形キャップ形状によって調整が為される可能性が高い、換気口のように障害物が実質的に存在しない領域に、磁性支持部材を固定することが可能な固定装置を提供することであった。更にもう１つの目標は、外観に与える影響を低減し、それと共に製造コストと製品の在庫管理コストを制限することにであった。
【００３２】
結論として、これら利点の重大な価値が良好な技術的内容を達成することとなる。
【００３３】
上記した及びその他の利点は、幾つかの好適な実施形態を付属の模式図を参照して以下に詳細に説明することにより明らかになるであろう。その実施の詳細は本発明を限定するものと見なされるべきではなく、例示のみを目的としているに過ぎない。
【図面の簡単な説明】
【００３４】
【図１】換気口に取り付けて電子機器を連結するための、磁性支持部材が設けられた固定装置を有する、連結装置の組立品の断面図である。
【図２】図１において、結合板により電子機器が結合された固定装置が換気口に固定されている、取り付け状態の連結装置の組立品の側面図である。
【図３】図１及び２のみに関する固定装置の分解図である。
【図４】図１〜３の固定装置の立体平面図である。
【図５】換気口に取り付けて電子機器を連結するための、磁性支持部材が設けられた固定装置を有する、別実施形態の連結装置の組立品の断面図である。
【図６】図５において、電子機器が結合された固定装置が換気口に固定されている、取り付け状態の連結装置の組立品の側面図である。
【図７】図５及び６のみに関する固定装置の立体図である。
【図８】図７のみに関する固定装置の立体断平面図である。
【発明を実施するための形態】
【００３５】
本発明は、車室内及び特に換気口（４０）のフィン（３０）（図２、６）に、特に携帯用電子機器（Ａ）（図１、５）を取外し可能に固定するための、磁性ベース（２０）を支持する固定装置（１０ａ、１０ｂ）（図４、７）を含む連結装置（１０ａ、１０ｂ）、（２０）、（５０）に関する。ある場合には携帯用電子機器（Ａ）は、その背部（６０）に部分的に一体化された結合板（５０）を備えるタイプである。
【００３６】
クランプ型の固定装置（１０ａ、１０ｂ）（図４、７）は、基本的に２個の対称な可動顎部（１００、１０１）（図３）から構成されており、顎部はピン（１１０、１１１）によりジョイント接合される第１の端部（１０２、１０３）を有している。ピン（１１０、１１１）は、２個のフォーク（１０６、１０７）の端部に設けられた対応するヒンジ穴（１０４、１０５）内に収められる。フォークの一方は他方内で球状トグル接合（１３０）を抱持する。トグル接合の側方には、可動顎部（１００、１０１）のフォーク（１０６、１０７）を互いに束縛するピン（１１０、１１１）の端部を蝶着するように、直径方向に対向する穴（１３１）が設けられている。フィン（３０）上への保持機能を得るために顎部（１００、１０１）を回動させる要素を形成する２本のピン（１１０、１１１）は、球状トグル接合（１３０）の中央ねじ穴(threaded)（１３２）の直径と構造的に干渉する影響があるため、球状トグル接合（１３０）を貫通しておらず(unthread)、径方向に設けられた穴（１３１）内に収められる。固定装置（１０ａ）における２個の可動顎部（１００、１０１）の第２の端部（１０８、１０９）のそれぞれは、高摩擦弾塑性材鞘（１２０、１２１）（図４）、例えばある種の天然ラテックスゴム、で覆われている。図８の実施形態では、可動顎部（１００、１０１）の第２の端部（１０８、１０９）が、内側にリング（１８０）（図８）を挿入可能なシート(seat)を備えており、それは対応する顎部（１００、１０１）の端部（１０８、１０９）の部分を取り囲み、その残り部分は顎部（１００、１０１）自体の形状により部分的に覆われるように、固定装置（１０ｂ）が構成されている。原則として、可動顎部（１００、１０１）はめっき処理したダイカスト亜鉛合金製であってもよいし、或いは暗所でもその位置を示して携帯用電子機器（Ａ）の設置が容易となるように蛍光顔料を含む、ポリカーボネート等の熱可塑性材料製であってもよい。 
【００３７】
ばね（１４０）は、その両側に壁部（１４３、１４４）が配置されるベース（１４２）に穴（１４１）を有するＵ字型をしている。壁部（１４３、１４４）の外側は、顎部（１００、１０１）の内壁に対して押圧している。
【００３８】
ばね（１４０）の穴（１４１）と一致する中心穴（１５１）を備えるワッシャ（１５０）が、ばね（１４０）のベース（１４２）とロックナット（１６０）の平坦面（１６１）との間に配置される。ある場合には、ワッシャ（１５０）は、ロックナット（１６０）の平坦面（１６１）に設けられた対応する座部内に収められる。
【００３９】
ロックナット（１６０）（図４）は、刻付き握持用壁部（１６２）により周囲を囲まれる平坦面（１６１）を有する第１の側面と、内部にねじ（１７０）の四角頭部（１７１）を収める座部（１６４）が設けられた第２の側面（１６３）とを備えており、ねじ（１７０）のねじ部（１７２）は、ロックナット（１６０）、ワッシャ（１５０）、ばね（１４０）を通って、穴（１３２）を介して球状トグル接合（１３０）と係合する。磁性ベース（２０）を、頭部（１７１）に接触させ、当該磁性ベースの一部をロックナット（１６０）から突出させ、ロックナット（１６０）に一体化して収容することができる余剰空間を残すように、止め部となるねじ（１７０）の四角頭部（１７１）は、反対形状の座部（１６４）内であって実質的にくぼんでいる位置で、ロックナット（１６０）に係合される状態に維持される。
【００４０】
磁性ベース（２０）は、磁性ベース（２０）により引き付けられる、携帯機器（Ａ）に連結された結合板（５０）（図３）と協働する。磁性ベース（２０）は更に、それぞれが軸方向に反対の極性で磁化されている少なくとも２個の磁石（２００）が接近して得られている。例示的な実施形態では、少なくともＮ４８に相当する等級に磁化されたＮＤ（ネオジム）製の４個の対称性を有する磁石（２００）を連結して得ている。各磁石（２００）は、平面視して正方形の幾何学形状を備えると共に、磁石（２００）が磁性ベース（２０）を形成するために互いに連結されて球形のキャップ断面を備える凹形状を有する引力座部（２０１）を構成するような成形結合面を備える、実質的に平行６面体の形状を備えている。各ネオジム磁石（２００）は金でコーティングされていてもよく、非常に薄い厚さで酸化及び腐食に対する高い防止効果を得ることができる。これは、磁石（２００）表面と強磁性結合板（５０）表面との距離の指数関数的関係に反比例する磁気効率を、可能な限り最大にすることを意図している。
【００４１】
電子機器（Ａ）、例えば携帯電話は、背部（６０）に結合板（５０）が備わっているタイプのものである。結合板（５０）は、強磁性材料製の一枚板体であり、機器（Ａ）の背部（６０）に一体化される基部（５１）と、背部（６０）の表面に対して膨らまされ、結合面（５２）を構成する突出部と、を備え、その突出部の形状は、支持磁性ベース（２０）の凹状引力座部（２０１）の反対形状であり、この場合は凸状である。
【００４２】
別態様では、結合板（５０）は、中央に配置された強磁性材料製の挿入部に対して、重ね射出成形したプラスチック材料製のシェル状のカバーを含んでいる。挿入部は、磁性ベース（２０）の引力座部（２０１）と反対形状でカバーの外面に対して突出している。カバーの形状については、強磁性材料からなる挿入部の抜き取りを防ぐ、周縁歯からなる保持領域が内側から提供される。その上、電子機器（Ａ）と接続する面において、カバーはハウジングを備え、その内部には、バイ粘着性(biadhesive)物質層が収められ、その厚みは、ハウジングの奥行きに比べて突出するように厚くされている。接着面は、挿入部を保持するカバーに、バイ粘着性物質層を確実に連結し、一方、外面は、取り外し可能な固着防止フィルムを備え、結合板を支持対象物へ固定するのに有利に働くように意図されており、表面形状に最適な方法で適合することができる。
【産業上の利用可能性】
【００４３】
本発明は、磁性支持部材が設けられた固定装置を有する、携帯用電子機器の連結装置に関し、特に、フィンを備える換気口を有する車室用の連結装置に好適に利用することができる。
【符号の説明】
【００４４】
（１０ａ、１０ｂ）固定装置
（２０）磁性ベース
（Ａ）携帯用電子機器
（３０）フィン
（４０）換気口
（１００、１０１）可動顎部
（１０２、１０３）第１の端部
（１１０、１１１）ピン
（１０４、１０５）ヒンジ穴
（１０６、１０７）フォーク
（１３０）球状トグル接合
（１３１）穴
（１３２）トグルねじ穴
（１０８、１０９）第２の端部
（１２０、１２１）高摩擦鞘
（１４０）ばね
（１４１）穴
（１４２）ベース
（１４３、１４４）壁部
（１５０）ワッシャ
（１５１）中心穴
（１６０）ロックナット
（１６１）平坦面
（１６２）刻付き握持用壁部
（１６３）第２の側面
（１６４）座部 
（１７０）ねじ
（１７１）四角頭部
（１７２）ねじ部
（５０）結合板
（５１）基部
（５２）結合面を構成する突出部
（２００）磁石
（２０１）球形切片の凹状引力座部
（６０）電子機器の背部
（１８０）弾塑性リング
【国際調査報告】
2011523829.tif 000011
2011523829.tif 000012
2011523829.tif 000013